(57)【要約】【課題】  手摺本体の部品点数を減らすことで取付作業を容易化するとともに、手摺本体の連結が容易に良好な外観を得ることが可能な手摺連結構造を提供することを課題とする。【解決手段】  本発明は、一方端部において手摺本体を保持する手摺保持体と、壁面などの基体に支持される支持体と、前記手摺保持体と前記支持体との間に設けられ、前記手摺保持体の他方端部と前記支持体とを連結する中間部材と、を備えた手摺連結構造であって、前記中間部材及び前記手摺保持体は、互いの当接面がテーパ形状となっており、前記中間部材は、その他方端部が前記支持体に対して回動自在に固定されていることを特徴とする。【選択図】    図６
2006104713.tif 000002
【特許請求の範囲】
【請求項１】
一方端部において手摺本体を保持する手摺保持体と、
壁面などの基体に支持される支持体と、
前記手摺保持体と前記支持体との間に設けられ、前記手摺保持体の他方端部と前記支持体とを連結する中間部材と、を備えた手摺連結構造であって、
前記中間部材及び前記手摺保持体は、互いの当接面がテーパ形状となっており、
前記中間部材は、その他方端部が前記支持体に対して回動自在に固定されていることを特徴とする手摺連結構造。
【請求項２】
前記支持体が左右両側において前記中間部材を介して前記手摺保持体を連結することを特徴とする請求項１に記載の手摺連結構造。
【請求項３】
前記中間部材を前記支持体に対して回動自在に固定する固定部材を設けたことを特徴とする請求項１又は請求項２に記載の手摺連結構造。
【請求項４】
前記手摺保持体の他方端部には、前記中間部材の一方端部に対して回動自在に連結するための軸心部が設けられていることを特徴とする請求項１乃至請求項３のいずれかに記載の手摺連結構造。
【発明の詳細な説明】
【技術分野】
【０００１】
本発明は、通路などに手摺を長距離に亘って連続的に設けるために、壁面に支持される支持体によって複数の手摺を連結する手摺連結構造に関し、特に、上下方向や水平方向に傾斜する通路に設けられる手摺連結構造に関する。
【背景技術】
【０００２】
従来、公園や公共施設等の階段や傾斜路の通路には、歩行者の歩行を補助するための手摺が設けられている。手摺は、人が歩行する際に手でつかまり安全を確保しやすくするためのものであり、壁面などの基体に支持されるベース部と、円柱形状で長尺状の形態を有し、人が手で握る手摺本体と、手摺本体を基体から所定寸法だけ距離をおいて設置するためにベース部より延出し手摺本体を保持するアーム部とを備える。ベース部及びアーム部は、手摺本体を所定寸法おきに保持するように設けられている。手摺本体は、長い通路に連続的に設けるために、所定寸法に分断して複数個設け、これら分断された複数個の手摺本体を支持体によって連結するようにして取り付けられている。
【０００３】
手摺は、階段やスロープ等の傾斜角度が変化する場所や水平方向であるが左右の方向に傾斜（曲がっている）場所に設置する場合、傾斜角度に応じた態様で設ける必要がある。このような傾斜角度に合わせて手摺本体を支持体に取り付ける構造としては、特許文献１に示されるように、手摺本体の各端部同士を相互に突き合わせた状態で連結する両端側連結部材と、この両端側連結部材の間に設けられ該両端側連結部材同士を所望の角度で相互に連結する回動可能な複数の中間側角度調整部材とを備える手摺連結構造が提案されている。上記複数の角度調整部材の中間には、壁等の基体側に直接又は間接的に連結して固定される基体側との連結部材が介設されている。このように基体側との連結部材を介して連結支持することができるようになり、１つの連結部材で手摺本体の連結部を支持剛性の高い安定した状態で支持することが可能となるとともに、必要な基体側との連結支持部材の数を半減させることが可能となる。
【０００４】
【特許文献１】特開２００２−１６７９３７号公報
【発明の開示】
【発明が解決しようとする課題】
【０００５】
しかしながら、上記従来の構造を有する手摺連結構造においては、中央に基体側との連結部材が設けられ、その左右両側に中央部側角度調整部材が設けられ、各当該中央部側角度調整部材に外方側角度調整部材が各々ビスなどで取り付けられ、更に、外方側角度調整部材に外方へ延出する手摺連結部材がビスなどで取り付けられ、そして、中空状の手摺本体が手摺連結部材を内部に入り込ませた状態で当該内部においてビスなどで手摺連結部材に取り付けられるという構造を有しており、この手摺連結構造を構成するための部品点数が多く取付作業が非常に面倒である。また、中央部側角度調整部材及び外方側角度調整部材の当接のさせ方によって連結部材に対する手摺本体の取付角度を変えているので、これら全ての部材の取付条件を同じようにして取り付けないと、例えば、左右の手摺本体の取付角度を同じにすることが難しい。
【０００６】
本発明は、このような課題を解決するべく、手摺本体の部品点数を減らすことで取付作業を容易化するとともに、手摺本体の連結が容易に良好な外観を得ることが可能な手摺連結構造を提供することを課題とする。
【課題を解決するための手段】
【０００７】
本発明者は、このような課題を解決するために、壁面などの基体に支持され左右両側の手摺本体を連結する支持体と、手摺本体との間にあって、支持体に対する手摺本体の取付角度を変更し得る部品点数を削減するとともに、取付作業を容易化することが可能な手摺連結構造を発明するに至った。具体的には、以下に示す手段を備えている。
【０００８】
すなわち、本発明は、一方端部において手摺本体を保持する手摺保持体と、壁面などの基体に支持される支持体と、前記手摺保持体と前記支持体との間に設けられ、前記手摺保持体の他方端部と前記支持体とを連結する中間部材と、を備えた手摺連結構造であって、前記中間部材及び前記手摺保持体は、互いの当接面がテーパ形状となっており、前記中間部材は、その他方端部が前記支持体に対して回動自在に固定されていることを特徴とする手摺連結構造である。
【０００９】
このような構成を有する発明によれば、手摺本体を保持する手摺保持体と、壁面などの基体に支持される支持体とを前記中間部材のみにより連結させることにより、部品点数を削減することが可能となり、部品の保全や管理がしやすいとともに、手摺の基体への取付作業を簡単化させることが可能となる。各部品の寿命の問題によって部品の取替えを行う必要があるが、その都度、取付作業が必要となるため、部品点数が増加すると、部品取替え作業の回数も増えて非常に面倒となるが、この発明ではこのような部品の取替え作業の回数を低減させることが可能となる。また、中間部材及び手摺保持体の当接角度を変えることによって支持体に対する手摺本体のなす角度を大きく変更することが可能であるとともに、中間部材を支持体に対して固定する角度を変えることにより、支持体に対して手摺本体を内向き又は外向きの角度に選択して固定することも可能となり、様々な基体の形状に合わせて手摺本体を連結させることが可能となる。
【００１０】
上記中間部材及び手摺保持体の互いの当接面は、テーパ形状として、例えば、断面が円形状の棒状体を、その長手方向に対して垂直方向ではなく左右どちらかに所定角度だけ傾斜させた方向から切断したような形状を適用することが可能である。また、当該当接面は、中間部材及び手摺保持体の連結強度を確保するために、当接した際に隙間が生じないように、平面形状であることが好ましい。
【００１１】
また、本発明は、前記支持体が左右両側において前記中間部材を介して前記手摺保持体を連結することを特徴とする。
【００１２】
このような構成を有する発明によれば、支持体に対する左右の手摺保持体のなす角度を変えることが可能となり、例えば、外向きに９０度出っ張った角（出隅用）の壁面や、内向きに９０度引っ込んだ角（入隅用）の壁面にも同じ手摺連結構造によって手摺本体を取り付けることが可能となる。
【００１３】
さらに、本発明は、前記中間部材を前記支持体に対して回動自在に固定する固定部材を設けたことを特徴とする。
【００１４】
このような構成を有する発明によれば、支持体に対して所望の角度となるまで中間部材を回動させ、この状態で固定部材により中間部材を支持体に対して固定するという非常に簡単な取付作業で手摺本体の取付角度を設定することが可能となる。
【００１５】
加えて、本発明は、前記手摺保持体の他方端部には、前記中間部材の一方端部に対して回動自在に連結するための軸心部が設けられていることを特徴とする。
【００１６】
このような構成を有する発明によれば、手摺保持体を軸心部を中心として中間部材に対して回動させながら支持体に対する取付角度を設定することが可能となり、手摺保持体の中間部材に対する水平方向のずれを調整することなく支持体に対する取付角度のみに注意を払いながら取付作業を行うことが可能となるので、当該取付作業が非常に容易化される。
【発明の効果】
【００１７】
本発明の取付構造によれば、部品点数を削減することが可能となり、手摺の基体への取付作業を簡単化させることが可能になるとともに、様々な基体の形状に合わせて手摺本体を連結させることが可能となる。
【発明を実施するための最良の形態】
【００１８】
次に、本発明におけるの一実施形態について説明するが、本発明はこれに限定されるものでない。
【００１９】
図１は本実施形態における手摺連結構造を示す概略図である。図２は本実施形態における手摺連結構造の断面構造を説明するための要部断面図であり、また、図３は図２におけるＡ−Ａ視断面図である。
【００２０】
この手摺連結構造は、人が歩行する際に安全のため手で握ることが可能に設けられた長尺状であって断面視略円柱形状の木製部材からなる手摺本体１を左右両側に所望の角度で容易に取り付けることが可能なものであり、一方端部において手摺本体１を保持する手摺保持体２と、壁面などの基体に支持される支持体３とと、手摺保持体２と支持体３との間に設けられ手摺保持体２の他方端部と支持体３とを連結する中間部材４とを備える。
【００２１】
手摺保持体２は、その一方端部に手摺本体１を嵌挿させる嵌挿穴５が所定深さ形成されており、その周面に嵌挿穴５に貫通する貫通穴６が形成されている。従って、嵌挿穴５に嵌挿された手摺本体１を貫通穴６を介して挿入されるネジ７により、手摺保持体２に対して手摺本体１が支持される。また、手摺保持体２はその他方端面が平坦状となっているが、その長さ方向に対して所定の角度（約２２．５度）だけテーパ形状となっている。更に、手摺保持体２の他方端面においては、その軸心部分に略円柱形状の突起部（軸心部）８が形成されている。中間部材４は、断面視が略円形状であり、その一方端面に手摺保持体２の突起部８を挿入させる挿入穴９を有する。挿入穴９に挿入された突起部８はブッシュナット１０により接続固定される。
【００２２】
支持体３は、壁面などの基体に支持される端面が平坦状であり略円形状のベース部１１と、このベース部１１から前方に延出し更に上方へと曲線状に延出するアーム部１２と、アーム部１２の先端部において所定寸法だけ水平方向に形成され、左右両端部において中間部材４を搭載するための横断面視Ｕ字状の搭載部１３とを有する。尚、搭載部１３のほぼ中央部分には、上方へ向かって立設する略円柱形状の立設部１４が設けられている。立設部１４の上端面には、所定深さに亘ってネジ穴１４ａが穿設されている。搭載部１３の内壁面には、左右両端部に凸状部１５が形成されており、中間部材４をその外周面に沿って形成された凹状部１６を嵌挿させ、支持体３に対する中間部材４の位置決めを容易化するとともに、凸状部１５を凹状部１６にすべらせるように回動させることが可能となっている。
【００２３】
また、支持体３の搭載部１３の左右各先端面に当接し、中間部材４の端部を覆うように山型状（逆Ｕ字状）に形成され、中間部材４を支持体３に対して固定する固定部材１７を有する。固定部材１７は、そのほぼ中央部分にネジ１８を挿入させる貫通穴１９を有している。また、固定部材１７の内壁面には支持体３の凹状部１６に対向するように凸状部２０が周面に沿って形成されている。これにより、固定部材１７を左右の中間部材４の先端部を覆い、各中間部材４をその凹状部１６を支持体３の凸状部１５に嵌挿させてすべらせながら回動させて支持体３に対する中間部材４の取付位置を設定し、所望の取付位置が設定された時点で、ネジ２１を固定部材１７の貫通穴１９を介してネジ穴１４ａに螺着させ、中間部材４を支持体３に固定する。
【００２４】
このような構成を有する手摺連結構造は、図４にその部品分割図を示すように、中央部分に基体に支持された支持体３を設け、その左右に中間部材４を介して手摺保持体２を連結させ、中間部材４を固定部材１７により支持体３に固定させた状態となっている。
【００２５】
これら構成部品の組立手順についての一例を説明すると、まず、中間部材４に対して手摺保持体２の他方端面を当接させ、突起部８を挿入穴９に挿入させる。このとき、中間部材４に対して手摺保持体２の他方端面を当接させ、突起部８を挿入穴９に挿入させる。この場合、中間部材４及び手摺保持体２の互いの当接面がテーパ形状となっているので、挿入穴９に挿入された突起部８を中心として手摺保持体２を回動させつつ、中間部材４に対する手摺保持体２の取付角度を設定する。そして、所望の取付角度になった時点で、ブッシュナット１０を取り付けて手摺保持体２を中間部材４に取り付ける。そして、上述したように、中間部材４をその凹状部１６を支持体３の凸状部１５に嵌挿させ、更に、固定部材１７をその凸状部２０が中間部材４の凹状部１６に嵌挿した状態で、ネジ２１を貫通穴１９を介してネジ穴１４ａに螺着して仮固定し支持体３に対する中間部材４の水平方向の位置決めをはかった状態で手摺保持体２を回動させて、支持体３に対するその後に取り付ける手摺本体１の取付方向を設定し、所望の設定方向になった時点で、ネジ２１をネジ穴１４ａに螺着を進行させて固定する。そして、手摺保持体２の一方端部において手摺本体１を嵌挿穴５に嵌挿させて保持することにより、左右の手摺本体１を連結させるのである。上述した組立手順は、一例に過ぎず、本発明の手摺連結構造を設置する場所の形状などによって、適宜変更することが可能である。
【００２６】
このような組立手順で手摺連結構造を完成させるのであるが、上述したように、手摺保持体２に対する中間部材４の取付位置を変えることによって、左右の手摺本体１の取付角度を変更することができる。図５においては左右の手摺本体１が平行となるように連結させた状態を示し、また、図６においては左右の手摺本体１が９０度となるように取り付けられた状態を示す概略斜視図である。なお、図５及び図６においては、支持体３におけるベース部１１及びアーム部１２を省略する。
【００２７】
このように手摺保持体２及び中間部材４の取付位置を適宜変えることで、様々な形状の基体に、この手摺連結構造をもちいることが可能である。図７に示すように、平面状の壁の部分Ｂ、外方に出っ張った出隅の部分Ｃ及び内方に引っ込んだ入隅の部分Ｄなどにも、同じ構成を有する手摺連結構造を用いることが可能となる。すなわち、図８に示すように、支持体３に対して手摺本体１が後ろ斜め方向に延びるように連結させ、左右の手摺本体１のなす角度を２７０度としている場合は、出隅の角面に用いることが可能であり、図９に示すように、支持体３に対して手摺本体１が前斜め方向に延びるように連結させ、左右の手摺本体１のなす角度を９０度としている場合は、入隅の奥面に用いることが可能である。
【００２８】
本実施形態においては、図１及び図２に示すように、手摺保持体２及び中間部材４の長手方向に沿う断面形状の外縁部が曲線形状となっているが、これに限定されるものでなく、手摺本体１と同様に直線形状とすることも可能である。
【００２９】
本実施形態においては、支持体３の搭載部１３及び固定部材１７によって、左右両側に中間部材４を取り付ける構造を用いているが、例えば、中間部材及び手摺保持体を一つのユニットとし、このユニットを壁面などの基体に支持される支持体に着脱自在に取り付ける構造とすることも可能である。
【００３０】
この場合の手摺連結構造は、一方端部において手摺本体を保持する２つの手摺保持体と、左右両端部において各前記手摺保持体の他方端部を取り付けて前記２つの手摺保持体を連結する中間部材とを有するユニットを備え、前記中間部材は、壁面などの基体に支持される支持体に対して着脱自在に取り付ける取付部を有する手摺連結構造であって、前記中間部材及び前記手摺保持体は、互いの当接面がテーパ形状となっており、前記中間部材は、その他方端部が前記支持体に対して回動自在に固定されていることを特徴とする。
【００３１】
この構造によれば、手摺本体を保持する２つの手摺保持体を、中間部材のみにより連結させることにより、部品点数を削減することが可能となり、また、支持体に対して着脱自在に中間部材を取り付けるのみで、手摺の基体への取付作業を簡単化させることが可能となる。さらに、上述した本実施形態の構造と同様に、中間部材及び手摺保持体の当接角度を変えることによって、取り付ける支持体に対する手摺本体のなす角度を大きく変更することが可能であるとともに、ユニットを支持体に対して取り付け固定する角度を変えることにより、支持体に対して手摺本体を内向き又は外向きの角度に選択して固定することも可能となり、様々な基体の形状に合わせて手摺本体を連結させることが可能となる。まず、中間部材及び手摺保持体の当接角度を所望の角度にした状態で取り付けた後に、支持体に取り付ければ、作業性もよくスムーズに取付作業を進めることが可能となる。
【００３２】
中間部材を支持体に対して着脱自在に取り付けるための具体的な構造としては、様々な構造を用いることが可能である。例えば、支持体を、壁面などに支持するベース部と、ベース部より前方及び上方に延出したアーム部と、アーム部の先端に中間部材を搭載する搭載部とを備えた構成のものとし、この搭載部を凹状の曲面形状として、中間部材の搭載状態を安定させた構造とし、搭載部のほぼ中央箇所にネジ穴を設け、中間部材の上下方向に貫通する貫通穴を介してネジを挿入しネジ穴に螺着させることにより、ユニットを支持体に着脱自在に取り付ける構成とすることが可能である。
【００３３】
上述した支持体の搭載部に搭載される中間部材は、本実施形態のように２つに分割されておらず、左右各端面がテーパ形状となった一つの部材からなるが、この中間部材をその長手方向に沿って水平方向に２つに切断して受け部とカバー部とに分け、中間部材の受け部に左右の手摺保持体を搭載したまま連結状態を所定の状態（所定の角度）にした後に、カバー部を受け部に取り付ける構造としてもよい。この受け部とカバー部との取付構造については、従来から用いられるネジをネジ穴に螺着させる構造をはじめとし、様々な構造を用いることが可能である。上記ネジ及びネジ穴の各々を、受け部及びカバー部のどちら側に設けてもよい。
【００３４】
その他の構造としては、支持体の搭載部に、その中央箇所から上方に延出し且つネジ穴を有する立設部を設け、中間部材の貫通穴を介してネジを挿入し立設部のネジ穴に螺着させることにより、ユニットを支持体に着脱自在に取り付ける構造を用いることが可能である。
【産業上の利用可能性】
【００３５】
本発明は、上下方向あるいは左右方向に傾斜した通路や、階段のわきの壁面などの基体に取り付けられる複数の手摺本体を連結し、連続的に手摺本体を設置する手摺連結構造に有用である。
【図面の簡単な説明】
【００３６】
【図１】本実施形態における手摺連結構造を示す概略図である。
【図２】本実施形態における手摺連結構造の断面構造を説明するための要部断面図である。
【図３】図２におけるＡ−Ａ視断面図である。
【図４】本実施形態における手摺連結構造を構成する各部品を示す分割図である。
【図５】本実施形態において、左右の手摺本体１が平行となるように連結させた状態を示す概略斜視図である。
【図６】左右の手摺本体１が９０度となるように取り付けられた状態を示す概略斜視図である。
【図７】本実施形態において、様々な形状を有する基体に対して取付位置を適宜変更して手摺連結構造を用いている状態を説明する説明図である。
【図８】本実施形態において、出隅の部分に用いた手摺連結構造を説明するための図である。
【図９】本実施形態において、入隅の部分に用いた手摺連結構造を説明するための図である。
【符号の説明】
【００３７】
１    手摺本体          ２    手摺保持体          ３    支持体
４    中間部材          ８    突起部（軸心部）    １７    固定部材
【図１】
2006104713.tif 000003
【図２】
2006104713.tif 000004
【図３】
2006104713.tif 000005
【図４】
2006104713.tif 000006
【図５】
2006104713.tif 000007
【図６】
2006104713.tif 000008
【図７】
2006104713.tif 000009
【図８】
2006104713.tif 000010
【図９】
2006104713.tif 000011